(57)【特許請求の範囲】
【請求項１】
電気容量式に作用するタッチ感応式の入力面を有するデジタル入力装置への入力を実施するための電子スタイラスであって、
前記電子スタイラスは、それぞれ異なる電気容量（１１４，１１３）を有する少なくとも２つの状態（１０１，１０２）をとるように、かつ、それぞれ異なる前記電気容量（１１４，１１３）を有するそれぞれ異なる前記状態（１０１，１０２）の間で交互にスイッチングを実施するように構成されている、
電子スタイラスにおいて、
前記電子スタイラスは、第１の電気容量（１１４）を有する第１の状態（１０１）の状態持続期間（１１６）が、第２の電気容量（１１３）を有する第２の状態（１０２）の状態持続期間（１１７）よりも長くなるように、それぞれ異なる電気容量（１１４，１１３）を有する前記電子スタイラスの各状態（１０１，１０２）の間でスイッチング（１１２）を実施するように構成されており、
前記電子スタイラスは、前記電子スタイラスの前記第１の状態（１０１）の前記第１の電気容量の値（１１４）が、前記電子スタイラスの前記第２の状態（１０２）の前記第２の電気容量の値（１１３）よりも大きくなるように構成されている、
ことを特徴とする電子スタイラス。
【請求項２】
前記電子スタイラスは、筆圧センサを有し、前記筆圧センサによって測定された筆圧に応じて、第１の電気容量（１１４）を有する前記電子スタイラスの前記状態（１０１）の前記状態持続期間（１１６）を調整するように構成されている、
請求項１記載の電子スタイラス。
【請求項３】
前記電子スタイラスは、手動で操作可能なオプションスイッチを有し、
前記オプションスイッチは、第１の電気容量（１１４）を有する前記電子スタイラスの前記状態（１０１）の前記状態持続期間（１１６）をセットするように構成することができ、
前記オプションスイッチは、スイッチ、ボタン、タッチ感応式の面、または近接センサとして実装することができる、
請求項１または２記載の電子スタイラス。
【請求項４】
電子スタイラスを介して、電気容量式に作用するタッチ感応式の入力面を有するデジタル入力装置への入力を実施するための方法において、
第１の電気容量（１１４）を有する前記電子スタイラスの第１の状態（１０１）と、第２の電気容量（１１３）を有する前記電子スタイラスの第２の状態（１０２）との間で、前記電子スタイラスを交互にスイッチング（１１２）することを含み、
前記第１の電気容量（１１４）を有する前記第１の状態（１０１）の状態持続期間（１１６）は、前記第２の電気容量（１１３）を有する前記第２の状態（１０２）の状態持続期間（１１７）よりも長く、
前記電子スタイラスの前記第１の状態（１０１）の前記第１の電気容量の値（１１４）は、前記電子スタイラスの前記第２の状態（１０２）の前記第２の電気容量の値（１１３）よりも大きい、
ことを特徴とする方法。
【請求項５】
前記デジタル入力装置は、スリープモードとアクティブモードとを有し、
前記アクティブモードでは、前記タッチ感応式の入力面における容量変化を測定するための測定周波数が、前記スリープモードにおける前記タッチ感応式の入力面における容量変化を測定するための測定周波数を上回っており、
第１の電気容量（１１４）を有する前記電子スタイラスの前記第１の状態（１０１）の前記状態持続期間（１１６）は、前記スリープモードにおける前記デジタル入力装置の測定サイクルの持続期間よりも長い、
および／または、
前記第２の電気容量（１１３）を有する前記電子スタイラスの前記第２の状態（１０２）の前記状態持続期間（１１７）は、前記アクティブモードにおける前記デジタル入力装置のタッチ測定の持続期間よりも長い、
請求項４記載の方法。
【請求項６】
第１の電気容量（１１４）を有する前記電子スタイラスの前記第１の状態（１０１）の前記状態持続期間（１１６）は、４０ｍｓ乃至１００ｍｓの間にあり、好ましくは８０ｍｓであり、
および／または、
第２の電気容量（１１３）を有する前記電子スタイラスの前記第２の状態（１０２）の前記状態持続期間（１１７）は、１５ｍｓ乃至３５ｍｓの間にあり、好ましくは３０ｍｓである、
請求項４または５記載の方法。
【請求項７】
電気容量式に作用するタッチ感応式の入力面を有するデジタル入力装置への入力を実施および識別するためのシステムにおいて、
電気容量式に作用するタッチ感応式の入力面を有するデジタル入力装置と、
前記デジタル入力装置への入力を実施するための電子スタイラスと、
を有し、
前記電子スタイラスは、それぞれ異なる電気容量（１１４，１１３）を有する少なくとも２つの状態（１０１，１０２）をとるように、かつ、それぞれ異なる前記電気容量（１１４，１１３）を有するそれぞれ異なる前記状態（１０１，１０２）の間で交互にスイッチング（１１２）を実施するように構成されており、
前記電子スタイラスは、第１の電気容量（１１４）を有する第１の状態（１０１）の状態持続期間（１１６）が、第２の電気容量（１１３）を有する第２の状態（１０２）の状態持続期間（１１７）よりも長くなるように、それぞれ異なる前記電気容量（１１４，１１３）を有する前記電子スタイラスの各状態（１０１，１０２）の間でスイッチング（１１２）を実施するように構成されており、
前記電子スタイラスは、前記電子スタイラスの前記第１の状態（１０１）の前記第１の電気容量の値（１１４）が、前記電子スタイラスの前記第２の状態（１０２）の前記第２の電気容量の値（１１３）よりも大きくなるように構成されている、
ことを特徴とするシステム。
【発明の詳細な説明】
【技術分野】
【０００１】
従来技術
本発明は、請求項１のプリアンブル部に記載された形式の装置と、請求項５のプリアンブル部に記載された方法と、請求項９のプリアンブル部に記載されたシステムとに関する。
【背景技術】
【０００２】
現代のデジタルコンピュータは、タッチ感応式の入力面を介して制御することができる。特に広く普及しているのは、容量式のシステムである。この場合には例えば、スクリーンのカバープレートの裏側に被着された透明な導体路のグリッドが、交流電圧の印加下に置かれている。
【０００３】
ユーザの指がグリッドのノードに接近すると、指と導体路とがコンデンサの２つのプレートを形成し、スクリーンのカバープレートがコンデンサの誘電体を形成する。
【０００４】
導体路がＲＣ素子の一部であること、すなわち、抵抗とコンデンサとを有する回路の一部であることにより、指の接近による容量変化を測定することが可能となり、ひいては接触点を特定することが可能となる。
【０００５】
この場合の欠点は、指、手の一部、またはスタイラス、特に電子スタイラスによるタッチを、センサシステムによって明確に区別することができないことである。このような状況下では、ハンドレストが第２の等価信号として誤解される可能性があるので、手がスクリーン上に載っている間に電子スタイラスを用いてタッチ感応式のスクリーンに適切に書き込むことが不可能になるおそれがある。
【発明の概要】
【発明が解決しようとする課題】
【０００６】
課題
したがって、本発明の課題は、特に、電子スタイラスを用いて実施されるデジタル入力装置への入力の識別の精度、待ち時間、および効率に関して、デジタル入力装置のための電子スタイラスを改善することである。
【課題を解決するための手段】
【０００７】
解決方法
本発明によれば、上記の課題は、請求項１に記載の電子スタイラス、請求項５に記載の方法、および請求項９に記載のシステムによって解決される。有利な実施形態およびさらなる発展形態は、従属請求項の主題である。
【０００８】
電気容量式に作用するタッチ感応式の入力面を有するデジタル入力装置への入力を実施するための本発明による電子スタイラスは、それぞれ異なる電気容量を有する少なくとも２つの状態をとることができるように、かつ、それぞれ異なる電気容量を有するそれぞれ異なる前記状態の間で交互にスイッチング可能となるように構成することができる。
【０００９】
さらには、前記電子スタイラスは、第１の電気容量を有する第１の状態の状態持続期間が、第２の電気容量を有する第２の状態の状態持続期間よりも長くなるように、それぞれ異なる電気容量を有する電子スタイラスの各状態の間でスイッチングを実施するように構成および適合することができる。
【００１０】
好ましくは、これにより、電子スタイラスの第１の状態の第１の電気容量の値を、電子スタイラスの第２の状態の第２の電気容量の値よりも大きくすることができる。以下では、簡略化のために、第１の電気容量の値が第２の電気容量の値よりも大きいものと仮定する。
【００１１】
このようにして、それぞれ異なる電気容量を有する電子スタイラスの前記２つの状態または前記２つのスイッチング状態の間におけるスイッチングを、非対称に実施することができる。したがって、第１の電気容量を有する電子スタイラスの第１の状態の状態持続期間を比較的長くし、これに後続する、第２の電気容量を有する電子スタイラスの第２の状態の状態持続期間を比較的短くすることができる。
【００１２】
以下では、容量という用語は、電気容量を指すものとして厳密に理解されるべきである。
【００１３】
このような電気容量の非対称の変調によって、有利には、スタイラスによって引き起こされるデジタル入力装置のタッチ感応式の入力面のタッチ信号と、電気容量の変調を示さない例えばユーザの手または指などの身体部分または他のアイテムまたはオブジェクトによって引き起こされる他のタッチ信号とを、区別することが可能となる。
【００１４】
特にこのようなスタイラスは、以下で説明するように、スリープモードとアクティブモードとを有するデジタル入力装置のタッチ感応式の入力面のタッチ信号の検出の待ち時間を改善することを可能にする。
【００１５】
例えば、タッチ感応式の入力面の容量または容量測定値の変化に関する測定クエリを、スリープモードおよびアクティブモードの両方において、ただし、それぞれ異なる測定周波数で、実施することができる。
【００１６】
例えばスリープモードでは、タッチ感応式の入力面の容量または容量測定値の変化に関する測定クエリを、デジタル入力装置のアクティブモードにおけるタッチ感応式の入力面の容量測定が実施可能な例えば６０Ｈｚのアクティブ測定周波数よりも低い、例えば約２５Ｈｚのスリープ測定周波数で実施することができる。
【００１７】
例えばデジタル入力装置のアクティブモードへの変更を実施可能にするために、例えば第１の電気容量の値が、タッチ信号またはタッチイベント、特にデジタル入力装置のスリープモードにおけるタッチ信号またはタッチイベントをトリガすることができると規定すると、デジタル入力装置のアクティブモードへの変更をより迅速に検出することが可能となる。
【００１８】
なぜなら、本実施例の場合にはデジタル入力装置のアクティブモードへの変更を実施しない、第２の電気容量の状態持続期間よりも長い、第１の電気容量の状態持続期間に起因して、第１電気容量を有する電子スタイラスの状態を十分な長さで持続させることができるので、デジタル入力装置のスリープモードにおいても、第１電気容量を有する電子スタイラスの状態が、デジタル入力装置によってより確実かつ迅速に検出されるからである。
【００１９】
換言すれば、これにより、デジタル入力装置のスリープモードにおける、識別されないタッチ信号またはタッチイベントの発生を低減させることができる。
【００２０】
このようにして有利には、電子スタイラスの使用に対するデジタル入力装置の反応における、ユーザにとって不快でイライラする待ち時間を回避することが可能となり、例えば５０ｍｓ未満または３０ｍｓ未満の待ち時間を実現することが可能となる。
【００２１】
さらには、本発明による電子スタイラスによって、有利には、スタイラスのタッチ信号の分解能を改善することが可能となる。なぜなら、例えば第１の電気容量を有する電子スタイラスの比較的長く持続する第１の状態は、特にデジタル入力装置のアクティブモードにおいて、デジタル入力装置の複数の測定クエリまたは測定点によって分解することができるからである。
【００２２】
電子スタイラスはさらに、筆圧センサを有することができ、前記筆圧センサによって測定された筆圧に応じて、第１の電気容量を有する電子スタイラスの状態の持続期間が調整可能となるように構成することができる。
【００２３】
例えば、測定された筆圧が所定の筆圧閾値を下回る場合には、第１の電気容量を有する電子スタイラスの状態の状態持続期間を短縮することが考えられ、これによって例えば、第１の電気容量の状態を、ごく少数の、例えば３つまたは４つの測定点の後にスイッチオフすることができるか、または第２の電気容量を有する電子スタイラスの第２の状態にスイッチングを実施することができる。
【００２４】
しかしながら、測定された筆圧が所定の筆圧閾値を上回る場合には、例えば第１の電気容量を有する電子スタイラスの状態の状態持続期間を延長してもよく、これによって前記容量状態を、はるかに多くの測定点を用いて、例えば１０乃至２０個の測定点を用いて分解することができる。
【００２５】
このことは有利には、デジタル入力装置のタッチ感応式の入力面におけるスタイラスのタッチ信号と、他のタッチ信号とをより良好に区別するために役立ち、また、スタイラスのタッチ信号の分解能の改善をもたらすことができ、例えば筆跡の分解能と識別の改善をもたらすことができる。
【００２６】
この場合には例えば、第１の電気容量を有する電子スタイラスの状態の状態持続期間の最大長さを、１００ｍｓ以下の状態持続期間に制限されるように規定することが有利であるとすることができ、これによってスタイラスのタッチ信号と、スタイラスによって引き起こされたのではない、例えばユーザの手によって引き起こされたタッチ信号との区別を、十分に迅速に行うことが可能となり、スタイラスのタッチ信号を検出するための不快な待ち時間がなくなる。
【００２７】
このようにして例えば、第１の電気容量の測定点の数と、タッチ信号の起点の検出時間との間の最適な比率を、有利にも実現することが可能となる。
【００２８】
例えばデジタル入力装置によって実行される評価ソフトウェアが、第１の電気容量を有する連続的な測定点の数をカウントし、これによってスタイラスの筆圧に関する結論を引き出すことができるようにすることも考えられる。
【００２９】
一般的に、例えば１９０乃至２７０Ｈｚの交流電圧で動作するデジタル入力装置による電子スタイラスの容量または容量値の測定値は、１００乃至４００μｓ（マイクロ秒）の持続期間を有する測定クエリまたは測定パルスから求めることができる。さらには、デジタル入力装置は、数ピコファラッドの範囲の容量変化を検出し、測定することができる。
【００３０】
さらには、電子スタイラスは、手動で操作可能なオプションスイッチを有することができ、前記オプションスイッチは、第１の電気容量を有する電子スタイラスの状態の状態持続期間をセットするように構成することができる。
【００３１】
このようにして例えば、第１の電気容量を有する電子スタイラスの状態の、予め定められた種々異なる状態持続期間によって、デジタル入力装置と相互作用する電子スタイラスの複数の異なる書式オプション、例えば複数の異なる文字色、または線の太さ、またはその他の文字、または色の効果を有効にすることができる。
【００３２】
前記オプションスイッチは、例えばスイッチ、ボタン、タッチ感応式の面、または近接センサとして実装することができる。
【００３３】
例えばオプションスイッチが、例えば第１および／または第２の電気容量を有する電子スタイラスの状態の別の１つおよび／または複数の状態持続期間を有し得る新しいスタイラスモードへの変更を、マイクロコントローラに実施させることができるようにすることも考えられる。
【００３４】
この場合には例えば、デジタル入力装置は、複数の状態シーケンスまたは状態サイクルにわたる平均化によって状態持続期間を測定し、それに応じてグラフィックディスプレイの制御を調整することができる。
【００３５】
電子スタイラスを介して、電気容量式に作用するタッチ感応式の入力面を有するデジタル入力装置への入力を実施するための本発明による方法は、特に以下のステップを含むことができる。
【００３６】
すなわち、第１の電気容量を有する電子スタイラスの第１の状態と、第２の電気容量を有する電子スタイラスの第２の状態との間で、電子スタイラスを交互にスイッチングすることを含み、第１の電気容量を有する第１の状態の状態持続期間は、第２の電気容量を有する第２の状態の状態持続期間よりも長くすることができる。
【００３７】
この場合には、電子スタイラスの第１の状態の第１の電気容量の値を、電子スタイラスの第２の状態の第２の電気容量の値よりも大きくすることができる。
【００３８】
前述したように、デジタル入力装置は、例えばスリープモードとアクティブモードとを有することができ、アクティブモードでは、タッチ感応式の入力面における容量変化を測定するための測定周波数、すなわち、アクティブ測定周波数が、スリープモードにおけるタッチ感応式の入力面における容量変化を測定するための測定周波数、すなわち、スリープ測定周波数を上回ることができる。
【００３９】
さらには、第１の電気容量を有する電子スタイラスの第１の状態の状態持続期間は、スリープモードにおけるデジタル入力装置の測定サイクルの持続期間よりも長くすることができ、および／または、第２の電気容量を有する電子スタイラスの第２の状態の状態持続期間は、アクティブモードにおけるデジタル入力装置のタッチ測定の持続期間よりも長くすることができる。
【００４０】
例えば、第１の電気容量を有する電子スタイラスの第１の状態の状態持続期間は、４０ｍｓ乃至１００ｍｓの間にあることができ、好ましくは８０ｍｓとすることができ、および／または、第２の電気容量を有する電子スタイラスの第２の状態の状態持続期間は、１５ｍｓ乃至３５ｍｓの間にあることができ、好ましくは３０ｍｓとすることができる。
【００４１】
電気容量式に作用するタッチ感応式の入力面を有するデジタル入力装置への入力を実施および識別するための本発明によるシステムは、特に、電気容量式に作用するタッチ感応式の入力面を有するデジタル入力装置と、前記デジタル入力装置への入力を実施するための電子スタイラスとを有することができる。
【００４２】
この場合には、電子スタイラスは、それぞれ異なる電気容量を有する少なくとも２つの状態をとることができるように、かつ、それぞれ異なる電気容量を有するそれぞれ異なる前記状態の間で交互にスイッチング可能となるように構成することができる。
【００４３】
さらには、電子スタイラスは、第１の電気容量を有する第１の状態の状態持続期間が、第２の電気容量を有する第２の状態の状態持続期間よりも長くなるように、それぞれ異なる電気容量を有する電子スタイラスの各状態の間でスイッチングを実施するように構成することができる。
【００４４】
さらには、本発明による前記システムの前記電子スタイラスは、当該電子スタイラスの第１の状態の第１の電気容量の値が、当該電子スタイラスの第２の状態の第２の電気容量の値よりも大きくなるように構成することができる。
【００４５】
特定の状況下では、電気容量式に作用するタッチ感応式の入力面を有するデジタル入力装置への入力を実施するための本発明による電子スタイラス、または本発明によるシステム、または本発明による方法は、スタイラスによるタッチ感応式の入力面の第１のタッチを、例えば指による第１のタッチとして知覚する可能性がある。
【００４６】
おそらく、例えばデジタル入力装置のアクティブモードへの変更中における、測定周波数の増加すなわちクロックアップによってのみ、スタイラスからのタッチ信号と、指からのタッチ信号と区別することが可能であろう。
【００４７】
シャノン（Shannon）およびナイキスト（Nyquist）のサンプリング定理に即した十分に高い測定周波数またはアクティブな測定周波数は、例えば６０Ｈｚ以上であり得る。
【００４８】
したがって、タッチ感応式の入力面の容量または容量測定値の変化に関する測定クエリの測定周波数のクロックアップと、合理的な待機期間との後に、ある１つの／特定のタッチイベントの起点に関する決定を下すことが可能となるまで、タッチイベントの複数の解釈を並行して許可および追跡するように、デジタル入力装置の評価ロジックを構成することができる。
【図面の簡単な説明】
【００４９】
【図１ａ】スリープモードにおけるデジタル入力装置を用いた電子スタイラスの例示的な容量状態シーケンスを示す図である。
【図１ｂ】アクティブモードにおけるデジタル入力装置を用いた電子スタイラスの例示的な容量状態シーケンスを示す図である。
【発明を実施するための形態】
【００５０】
図１ａは、スリープモードにおけるデジタル入力装置との相互作用における、本発明による電子スタイラスの容量状態シーケンスまたはスイッチング状態シーケンス１００の一例を示す。
【００５１】
したがって、縦座標１１９は、電子スタイラスの可能な容量値の例を表しており、その一方で横座標１１８は、時間軸を表している。
【００５２】
破線は、本発明による電子スタイラスの電気容量の可能な容量状態シーケンス１００の一例を表している。
【００５３】
前記容量状態シーケンス１００では、例示値１１４を有する比較的高いまたは比較的大きい第１の容量を有する状態１０１，１０３，１０５，１０７，１０９，１１１と、例示値１１３を有する比較的低いまたは比較的小さい第２の容量を有する状態１０２，１０４，１０６，１０８，１１０とが交互に現れる。
【００５４】
比較的高い第１の容量を有する状態の状態持続期間は、参照番号１１６によって例示的に示されている。したがって、比較的高い第１の容量を有する状態は全て、同じ状態持続期間１１６を有することができる。
【００５５】
比較的低い第２の容量を有する状態の状態持続期間は、参照番号１１７によって例示的に示されている。したがって、比較的低い第２の容量を有する状態は全て、同じ状態持続期間１１７を有することができる。
【００５６】
しかしながら、第１の容量を有する容量状態の状態持続期間は、第２の容量を有する容量状態の状態持続期間とは異なっていてもよい。
【００５７】
本実施例の場合には、電子スタイラスの比較的高い容量１１４を有する第１の容量状態の容量状態の状態持続期間は、電子スタイラスの比較的低い容量１１３を有する第２の容量状態の状態持続期間よりも長い。
【００５８】
垂直方向の線は、例示的な測定クエリまたは測定パルスまたは測定点１１５を図示しており、これらの測定クエリまたは測定パルスまたは測定点１１５によって、デジタル入力装置は、自身のタッチ感応式の入力面の容量または容量変化を照会または測定することができる。本実施例の場合には例えば、各測定クエリを、デジタル入力装置のスリープモードの測定周波数で作成することができる。
【００５９】
参照番号が付された例は、測定パルス１１５であり、これらの測定パルス１１５は、電子スタイラスの容量状態またはスイッチング状態１０１を検出して分析する。
【００６０】
この結果、有利には、第１の容量状態にある電子スタイラスの状態１０１，１０３，１０５，１０７，１０９，１１１を、デジタル入力装置のスリープモードにおいても確実に検出し、十分な精度で測定し、分析することが可能となる。
【００６１】
容量状態またはスイッチング状態、例えば比較的高い第１の容量１１４を有する容量状態を確実に識別することにより、有利には、デジタル入力装置を最小限の待ち時間でアクティブモードに変更させることが可能となる。
【００６２】
本実施例の場合には、比較的高い第１の容量１１４を有する全ての容量状態１０１，１０３，１０５，１０７，１０９，１１１を、スリープモードにおけるデジタル入力装置の測定パルス１１５によって検出することが可能である。
【００６３】
第１の容量を有する容量状態と第２の容量を有する容量状態との間におけるスイッチング１１２は、ほぼ瞬間的に、例えば５または１ｍｓよりも短い期間内に発生させることができる。
【００６４】
このような例示的な非対称の容量状態シーケンスまたはスイッチング状態シーケンス１００の利点は、スリープモードにおけるデジタル入力装置の測定パルス１１５によって、比較的低い第２の容量１１３を有する容量状態１０２，１０４，１０６，１０８，１１０のうちの大多数までもが、例えばこの場合には容量状態１０４，１０６，および１１０までもが検出されることにもある。
【００６５】
図１ｂは、アクティブモードにおけるデジタル入力装置との相互作用における、本発明による電子スタイラスの容量状態シーケンスまたはスイッチング状態シーケンス２００の一例を示す。
【００６６】
図１ａと同様にして、縦座標２１９は、電子スタイラスの可能な容量値の例を表しており、その一方で横座標２１８は、時間軸を表している。
【００６７】
破線は、本発明による電子スタイラスの電気容量の可能な状態シーケンス２００を再び例示的に表しており、例えば図１ａの状態シーケンス１００と類似または同一とすることができる。
【００６８】
前記容量状態シーケンス２００では、例示値２１４を有する比較的高いまたは比較的大きい第１の容量を有する状態２０１，２０３，２０５，２０７，２０９，２１１と、例示値２１３を有する比較的低いまたは比較的小さい第２の容量を有する状態２０２，２０４，２０６，２０８，２１０とが交互に現れる。
【００６９】
第１の容量を有する容量状態と、第２の容量を有する容量状態との間におけるスイッチング２１２は、前述したようにほぼ瞬間的に、またはユーザによって知覚されることなく発生させることができる。
【００７０】
比較的高い第１の容量を有する状態の状態持続期間は、参照番号２１６によって例示的に示されている。したがって、比較的高い第１の容量を有する状態は全て、同じ状態持続期間２１６を有することができる。
【００７１】
比較的低い第２の容量を有する状態の状態持続期間は、参照番号２１７によって例示的に示されている。したがって、比較的低い第２の容量を有する状態は全て、同じ状態持続期間２１７を有することができる。
【００７２】
しかしながら、第１の容量を有する容量状態の状態持続期間は、第２の容量を有する容量状態の状態持続期間とは異なっていてもよい。
【００７３】
本実施例の場合には、電子スタイラスの比較的高い容量２１４を有する第１の容量状態の容量状態の状態持続期間は、電子スタイラスの比較的低い容量２１３を有する第２の容量状態の状態持続期間よりも長い。
【００７４】
ここでも再び、垂直方向の線は、例示的な測定クエリまたは測定パルスまたは測定点２１５を図示しており、これらの測定クエリまたは測定パルスまたは測定点２１５によって、デジタル入力装置は、自身のタッチ感応式の入力面の容量または容量変化を照会または測定することができる。
【００７５】
しかしながら、図１ａの例示的なシナリオとは対照的に、デジタル入力装置は今、アクティブモードにあり、スリープモードの測定周波数に比べてより高い測定周波数で、電子スタイラスの容量状態を照会する。
【００７６】
アクティブモードにおける測定周波数によって、それぞれのスイッチング状態または容量状態２０１，２０２，２０３，２０４，２０５，２０６，２０７，２０８，２０９，２１０，２１１に対して、少なくとも１つの測定または測定クエリ２１５を実施することが可能となる。
【００７７】
換言すれば、デジタル入力装置のアクティブモードでは、有利には、デジタル入力装置のタッチ感応式の入力面における、本発明による電子スタイラスの全てのまたはほぼ全てのタッチ信号を検出して、分析することが可能となる。
【００７８】
以下には、２つの図面を備えた１枚の紙が後続する。参照番号は、以下の構成要素を識別するものである。
【符号の説明】
【００７９】
１００  本発明による電子スタイラスの容量状態シーケンスまたはスイッチング状態シーケンス
１０１，１０３，１０５，１０７，１０９，１１１  比較的高いまたは比較的大きい第１の容量を有する電子スタイラスの容量状態またはスイッチング状態
１０２，１０４，１０６，１０８，１１０  比較的低いまたは比較的小さい第２の容量を有する電子スタイラスの容量状態またはスイッチング状態
１１２  第１の容量を有する容量状態と、第２の容量を有する容量状態との間におけるスイッチング
１１３  容量または容量値
１１４  容量または容量値
１１５  １つ／複数の測定クエリ、または１つ／複数の測定パルス
１１６  例えば比較的高い第１の容量を有する本発明による電子スタイラスの状態の状態持続期間
１１７  例えば比較的低い第２の容量を有する本発明による電子スタイラスの状態の状態持続期間
１１８  横座標、例えば時間軸
１１９  縦座標、例えば容量軸
２００  本発明による電子スタイラスの容量状態シーケンスまたはスイッチング状態シーケンス
２０１，２０３，２０５，２０７，２０９，２１１  比較的高いまたは比較的大きい第１の容量を有する電子スタイラスの容量状態またはスイッチング状態
２０２，２０４，２０６，２０８，２１０  比較的低いまたは比較的小さい第２の容量を有する電子スタイラスの容量状態またはスイッチング状態
２１２  第１の容量を有する容量状態と、第２の容量を有する容量状態との間におけるスイッチング
２１３  容量または容量値
２１４  容量または容量値
２１５  １つ／複数の測定クエリ、または１つ／複数の測定パルス
２１６  例えば比較的高い第１の容量を有する本発明による電子スタイラスの状態の状態持続期間
２１７  例えば比較的低い第２の容量を有する本発明による電子スタイラスの状態の状態持続期間
２１８  横座標、例えば時間軸
２１９  縦座標、例えば容量軸
【図１ａ】
0006381803.tif 000002
【図１ｂ】
0006381803.tif 000003